(57)【要約】【課題】衣服が面内方向に引っ張られる等して、雌スナップと雄スナップに横方向の力が加えられても、雌,雄スナップの嵌合が容易に外れることのない合成樹脂製スナップファスナーを提供する。【解決手段】雌,雄スナップから成る合成樹脂製スナップファスナーにおいて、雄型嵌合部材３における円形基板８ｂの表面外縁部に、雄型嵌合部１０ｂよりも背の高い環状隆起部１３を設け、雌,雄スナップが互いに嵌合した状態において、雌型嵌合部１０ａが雄型嵌合部１０ｂと環状隆起部１３との間に形成された環状溝１４に嵌り込むことにより、雄型嵌合部材３に対する雌型嵌合部材１の横方向への移動を環状隆起部１３で阻止するように構成する。【選択図】図４
2008142360.tif 000002
【特許請求の範囲】
【請求項１】
可撓性シートに刺し通す突起が円形頭部の裏面中央部に突設された合成樹脂製のリベット部材と、円形基板の表面に略円筒状で且つ先端側内周面に係合用膨出部を形成した雌型嵌合部が形成され、当該雌型嵌合部内の基板中央に前記シートに刺し通した突起を貫通させてカシメ止めするための貫通孔が形成された合成樹脂製の雌型嵌合部材とによる雌スナップと、可撓性シートに刺し通す突起が円形頭部の裏面中央部に突設された合成樹脂製のリベット部材と、円形基板の表面に略円筒状で且つ先端側外周面に係合用膨出部を形成した雄型嵌合部が形成され、当該雄型嵌合部内の基板中央に前記シートに刺し通した突起を貫通させてカシメ止めするための貫通孔が形成された合成樹脂製の雄型嵌合部材とによる雄スナップとから成る合成樹脂製スナップファスナーであって、雄型嵌合部材における円形基板の表面外縁部に、雄型嵌合部よりも背の高い環状隆起部を設け、雌，雄スナップが互いに嵌合した状態において、雌型嵌合部が雄型嵌合部と環状隆起部との間に形成された環状溝に嵌り込むことにより、雄型嵌合部材に対する雌型嵌合部材の横方向への移動を環状隆起部で阻止するように構成したことを特徴とする合成樹脂製スナップファスナー。
【発明の詳細な説明】
【技術分野】
【０００１】
本発明は、雌型嵌合部材及び雄型嵌合部材と、それらを衣服の生地、ビニール袋などの可撓性シートに取り付けるリベット部材とを備えた合成樹脂製スナップファスナーに関するものである。
【背景技術】
【０００２】
例えば、衣服の生地、ビニール袋などの可撓性シートに刺し通す突起が円形頭部の裏面中央部に突設された合成樹脂製のリベット部材と、円形基板の表面に略円筒状で且つ先端側内周面に係合用膨出部を形成した雌型嵌合部が形成され、当該雌型嵌合部内の基板中央に前記シートに刺し通した突起を貫通させてカシメ止めするための貫通孔が形成された合成樹脂製の雌型嵌合部材とによる雌スナップと、可撓性シートに刺し通す突起が円形頭部の裏面中央部に突設された合成樹脂製のリベット部材と、円形基板の表面に略円筒状で且つ先端側外周面に係合用膨出部を形成した雄型嵌合部が形成され、当該雄型嵌合部内の基板中央に前記シートに刺し通した突起を貫通させてカシメ止めするための貫通孔が形成された合成樹脂製の雄型嵌合部材とによる雄スナップとから成る合成樹脂製スナップファスナーは、特許文献１,２等によって知られている。
【０００３】
この種の合成樹脂製スナップファスナーにおいては、図５の（Ａ）に示すように、雌型嵌合部材１及び雄型嵌合部材３が略同一の直径とされており、雄型嵌合部材３は、雄型嵌合部１０ｂの先端を円形基板８ｂの表面外縁部よりも軸芯方向外方（表面側）へ適当距離Ｈ突出させた形状に成型されていた。
【０００４】
そのため、図５の（Ｂ）に示す雌,雄スナップＡ１，Ａ２の嵌合状態において、衣服が面内方向に引っ張られる等して、雌スナップＡ１と雄スナップＡ２に横方向（矢印方向ａ，ｂ）の力が加えられた際、雄型嵌合部材３の雄型嵌合部１０ｂが雌型嵌合部１０ａで押されて弾性変形し、雄型嵌合部１０ｂと雌型嵌合部１０ａの嵌合が不測に外れることがあった。この傾向は、スナップファスナーの寸法が小さくて、雄型嵌合部１０ｂの直径方向での厚みが薄い場合や、スナップファスナーの材料樹脂がポリエステルのような柔らかい合成樹脂である場合に特に顕著である。
【０００５】
また、雄型嵌合部１０ｂの先端が円形基板８ｂの表面外縁部よりも突出しているため、洗濯した衣服にアイロンやローラで、プレスを掛ける際、アイロンやローラが雄型嵌合部１０ｂの先端に当たって、雄型嵌合部１０ｂの先端部が押し潰されることがあり、その結果、雌型嵌合部１０ａとの嵌合が不安定になったり、嵌合不能になることがあった。
【０００６】
【特許文献１】特開２００４−２４８７０４号公報
【特許文献２】特開２００５−１５２０５９号公報
【発明の開示】
【発明が解決しようとする課題】
【０００７】
本発明は、上記の点に留意してなされたもので、その目的は、アイロン掛けによって雄型嵌合部の先端部が押し潰されるのを防止でき、しかも、衣服が面内方向に引っ張られる等して、雌スナップと雄スナップに横方向の力が加えられても、雌,雄スナップの嵌合が容易に外れることのない合成樹脂製スナップファスナーを提供することにある。
【課題を解決するための手段】
【０００８】
上記の目的を達成するために、本発明が講じた技術的手段は、次の通りである。即ち、本発明は、可撓性シートに刺し通す突起が円形頭部の裏面中央部に突設された合成樹脂製のリベット部材と、円形基板の表面に略円筒状で且つ先端側内周面に係合用膨出部を形成した雌型嵌合部が形成され、当該雌型嵌合部内の基板中央に前記シートに刺し通した突起を貫通させてカシメ止めするための貫通孔が形成された合成樹脂製の雌型嵌合部材とによる雌スナップと、可撓性シートに刺し通す突起が円形頭部の裏面中央部に突設された合成樹脂製のリベット部材と、円形基板の表面に略円筒状で且つ先端側外周面に係合用膨出部を形成した雄型嵌合部が形成され、当該雄型嵌合部内の基板中央に前記シートに刺し通した突起を貫通させてカシメ止めするための貫通孔が形成された合成樹脂製の雄型嵌合部材とによる雄スナップとから成る合成樹脂製スナップファスナーであって、雄型嵌合部材における円形基板の表面外縁部に、雄型嵌合部よりも背の高い環状隆起部を設け、雌，雄スナップが互いに嵌合した状態において、雌型嵌合部が雄型嵌合部と環状隆起部との間に形成された環状溝に嵌り込むことにより、雄型嵌合部材に対する雌型嵌合部材の横方向への移動を環状隆起部で阻止するように構成したことを特徴としている。
【発明の効果】
【０００９】
本発明によれば、雄型嵌合部材における円形基板の表面外縁部に、雄型嵌合部よりも背の高い環状隆起部を設けたので、雄型嵌合部の先端が環状隆起部よりも軸芯方向内方に位置することになり、洗濯した衣服にアイロンやローラで、プレスを掛ける際、アイロンやローラが雄型嵌合部の先端に当たって、雄型嵌合部の先端部が押し潰されるのを防止することができ、しかも、雌,雄スナップの嵌合状態においては、雌型嵌合部が雄型嵌合部と環状隆起部との間に形成された環状溝に嵌り込むことにより、雄型嵌合部材に対する雌型嵌合部材の横方向への移動が環状隆起部で阻止されるので、雌スナップと雄スナップを軸芯方向へ引き離すことによって、嵌合を外すことができるが、衣服が面内方向に引っ張られる等して、雌スナップと雄スナップに横方向の力が加えられても、雌型嵌合部が環状隆起部の内周面に当たって、雄型嵌合部の一定以上の変形が規制されることになり、雌,雄スナップの嵌合が不測に外れる虞がない。
【発明を実施するための最良の形態】
【００１０】
図１〜図４は、雌スナップＡ１と雄スナップＡ２とから成る合成樹脂製スナップファスナーの一例を示す。雌スナップＡ１は、雌型嵌合部材１と、それを可撓性シート（例えば、衣服の生地、テープ状の布、ビニール袋等である。以下、同じ。）Ｂ１に取り付けるリベット部材２とから構成され、雄スナップＡ２は、雄型嵌合部材３と、それを可撓性シートＢ２に取り付けるリベット部材４とから構成されている。
【００１１】
尚、雌型嵌合部材１、雄型嵌合部材３、リベット部材２,４は、何れも、ポリエステル製であるが、ポリブチレンテレフタレートやポリアセタール等であってもよい。
【００１２】
リベット部材２,４は、円形頭部５ａ，６ａの裏面中央部に断面円形で且つ先鋭な突起５ｂ，６ｂを突設したものである。
【００１３】
雌型嵌合部材１は、前記リベット部材２の突起５ｂを挿入する円形で且つ突起５ｂの太さと略等しい（例えば、０．１ｍｍ程度大きい）内径の貫通孔７ａが形成された円形基板８ａの表面（可撓性シートＢ１と対面する面とは反対側の面）に、前記貫通孔７ａと同芯状に突出した略円筒状で且つ先端側内周面に周方向複数個に分割された係合用膨出部（アンダーカット部）９ａを形成した雌型嵌合部１０ａを一体成型したもので、前記可撓性シートＢ１に刺し通したリベット部材２の突起５ｂを貫通孔７ａに挿入し、その突出先端部を打撃により拡径変形させてカシメ止めするように構成されている。前記係合用膨出部９ａは雌型嵌合部１０ａの先端よりも若干距離（例えば、０．１〜１ｍｍ程度）低い位置に設けられている。また、雌型嵌合部１０ａの裏面側には、放射状の補強リブ１１で周方向複数個に区画された環状の溝１２が形成されている。
【００１４】
雄型嵌合部材３は、前記リベット部材４の突起６ｂを挿入する円形で且つ突起６ｂの太さと略等しい（例えば、０．１ｍｍ程度大きい）内径の貫通孔７ｂが形成された円形基板８ｂの表面（可撓性シートＢ２と対面する面とは反対側の面）に、前記貫通孔７ｂと同芯状に突出した略円筒状で且つ先端側外周面に周方向複数個に分割された係合用膨出部（アンダーカット部）９ｂを形成した雄型嵌合部１０ｂを一体成型したもので、前記可撓性シートＢ２に刺し通したリベット部材４の突起６ｂを貫通孔７ｂに挿入し、その突出先端部を打撃により拡径変形させてカシメ止めするように構成されている。
【００１５】
この実施形態は、上記構成の合成樹脂製スナップファスナーにおいて、雄型嵌合部材３における円形基板８ｂの表面外縁部に、雄型嵌合部１０ｂよりも背の高い環状隆起部１３を設けて、雄型嵌合部１０ｂの先端を当該環状隆起部１３の先端よりも若干距離（例えば、０．１〜１ｍｍ程度）ｈ、軸芯方向内方に位置させる一方、雌型嵌合部材１の外径を環状隆起部１３の内径より僅かに小さくし、雌,雄スナップＡ１，Ａ２の嵌合状態において、雌型嵌合部１０ａが雄型嵌合部１０ｂと環状隆起部１３との間に形成された環状溝１４に嵌り込むことにより、雄型嵌合部材３に対する雌型嵌合部材１の横方向への移動を環状隆起部１３で阻止するように構成した点に特徴がある。
【００１６】
尚、図示の例では、雌型嵌合部１０ａが雄型嵌合部１０ｂと環状隆起部１３との間に形成された環状溝１４に嵌り込んだ状態において、環状隆起部１３の内周面と雌型嵌合部１０ａの外周面との間に微小な隙間Ｓが形成されるような寸法関係に設定されているが、雌型嵌合部１０ａが雄型嵌合部１０ｂと環状隆起部１３との間に形成された環状溝１４に嵌り込んだ際、環状隆起部１３の内周面と雌型嵌合部１０ａの外周面が接触するように設定してもよい。また、図示の例では、環状隆起部１３の先端側の内周面を垂直（軸芯と平行）に形成してあるが、先端側ほど半径方向外方に位置する傾斜面としてもよい。
【００１７】
上記の構成によれば、雄型嵌合部材３における円形基板８ｂの表面外縁部に、雄型嵌合部１０ｂよりも背の高い環状隆起部１３を設けたので、雄型嵌合部１０ｂの先端が環状隆起部１３よりも軸芯方向内方に位置することになり、洗濯した衣服にアイロンやローラで、プレスを掛ける際、アイロンやローラが雄型嵌合部１０ｂの先端に当たらず、雄型嵌合部１０ｂの先端部（係合用膨出部９ｂ）が押し潰されるのを防止できる。また、雌型嵌合部材１においても、係合用膨出部９ａを雌型嵌合部１０ａの先端よりも若干距離低い位置に設けてあるので、アイロンやローラが雌型嵌合部１０ａの先端に当たらず、雌型嵌合部１０ａの先端部（係合用膨出部９ａ）が押し潰されるのを防止できる。
【００１８】
しかも、雌,雄スナップＡ１，Ａ２の嵌合状態においては、図４の（Ｂ）に示すように、雌型嵌合部１０ａが雄型嵌合部１０ｂと環状隆起部１３との間に形成された環状溝１２に嵌り込むことにより、雄型嵌合部材３に対する雌型嵌合部材１の横方向への移動が環状隆起部１３で制限されるので、雌スナップＡ１と雄スナップＡ２を軸芯方向へ引き離すことによって、嵌合を外すことはできるが、衣服が面内方向に引っ張られる等して、雌スナップＡ１と雄スナップＡ２に横方向（矢印方向ａ，ｂ）の力が加えられても、雌型嵌合部１０ａの外周面が環状隆起部１１の内周面に当たって、雄型嵌合部１０ｂの一定以上の変形が阻止されることになり、雌,雄スナップＡ１，Ａ２の嵌合が不測に外れる虞がない。
【図面の簡単な説明】
【００１９】
【図１】本発明に係る合成樹脂製スナップファスナーの構成部材を説明する斜視図である。
【図２】雄型嵌合部材の斜視図である。
【図３】雄型嵌合部材の縦断側面図である。
【図４】合成樹脂製スナップファスナーの縦断側面図である。
【図５】従来の合成樹脂製スナップファスナーの縦断側面図である。
【符号の説明】
【００２０】
Ａ１  雌スナップ
Ａ２  雄スナップ
Ｂ１  可撓性シート
Ｂ２  可撓性シート
１  雌型嵌合部材
２,４  リベット部材
３  雄型嵌合部材
５ａ，６ａ  円形頭部
５ｂ，６ｂ  突起
７ａ，７ｂ  貫通孔
８ａ，８ｂ  円形基板
９ａ，９ｂ  係合用膨出部
１０ａ  雌型嵌合部
１０ｂ  雄型嵌合部
１３  環状隆起部
１４  環状溝
【図１】
2008142360.tif 000003
【図２】
2008142360.tif 000004
【図３】
2008142360.tif 000005
【図４】
2008142360.tif 000006
【図５】
2008142360.tif 000007